(57)【要約】【課題】紙製でありながら、組み立てが簡単な箱のトレーを提供する。【解決手段】突片２は基部３と頭部４の２段から成り、基部３と頭部４の間の両側にはくびれを設け、山型の切り込みの両側部には内側に向けて相対向した第一突起及び第二突起を設け、第一突起と第二突起の間には凹部を設け、突片２の両側のくびれ部を結ぶ箇所に折り目を設け、突片２の頭部４の最大幅部は、切り込みの両側の凹部の間の長さより小さく、両側の第一突起の間の長さより大きく設け、突片２を基部３の折り目によって谷折りに折り上げ、突片２の頭部４を両側くびれの折り目によって山折りに折り込んで頭部４の最大幅部の両端を切り込み両側の凹部内に差し入れ、第一突起及び第二突起で係止した。【選択図】図１
0003151494.tif 000002
【実用新案登録請求の範囲】
【請求項１】
台紙に、山型の切り込みを縦方向又は横方向に連続して複数設け、当該各切り込みの両端を結ぶ箇所に折り目を夫々設け、当該各切り込みによって形成された各突片を前記折り目により夫々折り上げて形成する箱の紙製トレーにおいて、
前記突片は基部と頭部の２段から成り、当該基部と頭部の間の両側にはくびれを設け、前記山型の切り込みの両側部には内側に向けて相対向した第一突起及び第二突起を夫々設け、当該第一突起と第二突起の間には凹部を夫々設け、前記突片の両側のくびれ部を結ぶ箇所に折り目を設け、
当該突片の頭部の最大幅部は、前記切り込みの両側の凹部の間の長さより小さく、前記両側の第一突起の間の長さより大きく設け、
当該突片を基部の折り目によって谷折りに折り上げ、当該突片の頭部を両側くびれの折り目によって山折りに折り込んで当該頭部の最大幅部の両端を前記切り込み両側の凹部内に差し入れ、前記第一突起及び第二突起で係止したことを特徴とする、箱の紙製トレー。
【請求項２】
前記突片の頭部の前記最大幅部に折り目を設け、当該折り目より先端に折り込み片を設け、
前記突片を基部の折り目によって谷折りに折り上げ、当該突片の頭部を両側くびれの折り目によって山折りに折り込んで当該頭部を切り込みの下側に嵌め入れ、当該各頭部の折り込み片を前記折り目により谷折りに折り上げて、当該頭部の最大幅部の両端を前記切り込み両側の凹部内に差し入れ、当該頭部先端の折り込み片を前記切り込み両側の第一突起の下面に係止したことを特徴とする、前記請求項１に記載の箱の紙製トレー。
【請求項３】
前記台紙に、縦方向に複数の山型の切り込みを設ける際、一方の突片の頭部を、他方の突片の基部の中に入れ、当該一方の突片の頭部先端の折り目の位置を、他方の突片の基部の折り目の位置としたことを特徴とする、前記請求項２に記載の箱の紙製トレー。
【考案の詳細な説明】
【技術分野】
【０００１】
この考案は、菓子店等において、菓子やその他の食品等の持ち運びに使用される紙箱等の底面に載置して、個々に包装された菓子等を整然と配置して、無暗に動かないよう、箱内の安定性を良くするための箱の紙製トレーに関するものである。
【背景技術】
【０００２】
従来、洋菓子店において、個々に包装されたクッキー等の焼き菓子やカップ等に入れられた個々の菓子等を紙箱等に入れて持ち運ぶ際、これらの菓子等が無暗に動かないよう箱内の安定性を良くするため、また、箱内に並べた際の見栄えを良くするために、プラスチック製のトレー、又は紙製のトレーを箱の底面に載置して、前記菓子等を整然と配置して、見栄えが良いようにしている。
【０００３】
この様なプラスチック製のトレーは、箱の中に載置するだけなので作業性が良く、また、安価であり、また、紙製のトレーは、見栄えが良い。
【非特許文献１】柳井紙工株式会社「やない通年商品カタログ（2002年発行）」
【考案の開示】
【考案が解決しようとする課題】
【０００４】
しかしながら、前記プラスチック製のトレーは、形態が貧弱であり、如何にも安っぽくて見栄えが良くないものが多い。高級感を重視する進物ギフトなどでは、見栄えが悪いのは致命的となる。また、紙製のトレーでは、見栄えが良いが、組み立てが面倒で時間のかかるものが多い。
【０００５】
この考案は、この様な状況に鑑みて行われたもので、紙製でありながら、組み立てが簡単な箱のトレーを提供して前記課題を解決するものである。
【課題を解決するための手段】
【０００６】
請求項１の考案は、台紙に、山型の切り込みを縦方向又は横方向に連続して複数設け、当該各切り込みの両端を結ぶ箇所に折り目を夫々設け、当該各切り込みによって形成された各突片を前記折り目により夫々折り上げて形成する箱の紙製トレーにおいて、前記突片は基部と頭部の２段から成り、当該基部と頭部の間の両側にはくびれを設け、前記山型の切り込みの両側部には内側に向けて相対向した第一突起及び第二突起を夫々設け、当該第一突起と第二突起の間には凹部を夫々設け、前記突片の両側のくびれ部を結ぶ箇所に折り目を設け、当該突片の頭部の最大幅部は、前記切り込みの両側の凹部の間の長さより小さく、前記両側の第一突起の間の長さより大きく設け、当該突片を基部の折り目によって谷折りに折り上げ、当該突片の頭部を両側くびれの折り目によって山折りに折り込んで当該頭部の最大幅部の両端を前記切り込み両側の凹部内に差し入れ、前記第一突起及び第二突起で係止した箱の紙製トレーとした。
【０００７】
請求項２の考案は、前記突片の頭部の前記最大幅部に折り目を設け、当該折り目より先端に折り込み片を設け、前記突片を基部の折り目によって谷折りに折り上げ、当該突片の頭部を両側くびれの折り目によって山折りに折り込んで当該頭部を切り込みの下側に嵌め入れ、当該各頭部の折り込み片を前記折り目により谷折りに折り上げて、当該頭部の最大幅部の両端を前記切り込み両側の凹部内に差し入れ、当該頭部先端の折り込み片を前記切り込み両側の第一突起の下面に係止した前記請求項１に記載の箱の紙製トレーとした。
【０００８】
請求項３の考案によれば、前記台紙に、縦方向に複数の山型の切り込みを設ける際、一方の突片の頭部を、他方の突片の基部の中に入れ、当該一方の突片の頭部先端の折り目の位置を、他方の突片の基部の折り目の位置とした前記請求項２に記載の箱の紙製トレーとした。
【考案の効果】
【０００９】
請求項１の考案によれば、台紙に設けた切り込みを、折り目によって折り上げ、当該切り込みによって形成される突片の頭部の最大幅部を前記切り込みの両側の凹部に係止するだけで、見栄えが良く、しっかりと係止された紙製トレーが簡単に出来上がるので、極めて使い勝手が良く、利便性が高いものである。
【００１０】
また、突片の頭部を折り込んで頭部の最大幅部の両端を切り込み両側の凹部内に差し入れ、第一突起及び第二突起に係止したので、これらの係止が解除され難い。よって、菓子を載置するスペースを安定して確実に形成することが出来、トレーとして信頼性の高いものである。
【００１１】
また、前記突片の頭部の最大幅部は、前記切り込みの両側の凹部の間の長さより小さく、前記切り込み両側の第一突起の間の長さより大きく設けたので、突片の頭部を切り込みの凹部内に差し入れ、第一突起及び第二突起に係止した際、より確実かつ強固に係止が出来るものである。
【００１２】
さらに、この切り込みを、縦方向又は横方向に設けたものならば、２列や３列など望む形態を自由に作ることが出来、汎用性が高いものである。
【００１３】
請求項２の考案によれば、トレー形成の際、突片の頭部の最大幅部に折り目を介して折り込み片を設けたので、この折り込み片を第一突起に下方から係止したので、突片の係止をより強固かつ確実に行なうことが出来、トレーとしてより信頼性が高いものである。
【００１４】
請求項３の考案によれば、前記台紙に切り込みを縦方向に連続して設ける際、一方の突片の頭部を、他方の突片の基部の中に入れ、当該一方の突片の頭部の折り目の位置を、他方の突片の基部の折り目の位置としたので、トレーに、複数設けながらも最適な間隔を有した切り込みをコンパクトに設けることが出来、より有用性の高いものである。
【考案を実施するための最良の形態】
【００１５】
台紙に、山型の切り込みを縦方向又は横方向に連続して複数設け、当該各切り込みの両端を結ぶ箇所に折り目を夫々設け、当該各切り込みによって形成された各突片を前記折り目により夫々折り上げて形成する箱の紙製トレーにおいて、前記突片は基部と頭部の２段から成り、当該基部と頭部の間の両側にはくびれを設け、前記山型の切り込みの両側部には内側に向けて相対向した第一突起及び第二突起を夫々設け、当該第一突起と第二突起の間には凹部を夫々設け、前記突片の両側のくびれ部を結ぶ箇所に折り目を設け、当該突片の頭部の最大幅部は、前記切り込みの両側の凹部の間の長さより小さく、前記両側の第一突起の間の長さより大きく設け、当該突片を基部の折り目によって谷折りに折り上げ、当該突片の頭部を両側くびれの折り目によって山折りに折り込んで当該頭部の最大幅部の両端を前記切り込み両側の凹部内に差し入れ、前記第一突起及び第二突起で係止した。
【００１６】
これにより、見栄えが良く、しっかりと係止された紙製トレーが簡単に出来上がる。
【実施例１】
【００１７】
以下、この考案の実施例を図に基づいて説明する。
図１は、この考案の実施例の紙製トレーを箱内に載置し、その上から菓子を載置した状態の断面図である。図２は、この考案の実施例の紙製トレーの台紙の平面図である。図３は、同紙製トレーの台紙の最下部の突片を折り目により折り上げた状態の平面図である。図４は、同紙製トレーの台紙の最下部の突片の頭部を折り目により山折りに折り込む状態の一部斜視図である。図５は、同紙製トレーの台紙の一部の突片を組み立てた状態の一部斜視図である。
【００１８】
細長の台紙１１に、山型形状の切り込み１を設けて突片２を設ける。この突片２の形状は、略四角形状で幅が広い基部３と、その上方であって当該基部３より幅が狭い頭部４の２段から成る。前記基部３において、当該基部３と頭部４との境界の両側部にはくびれ５を設けている。また、山型形状の切り込み１の両側部には内側に向けて相対向した第一突起６と第二突起７を夫々設けており、これらの各第一突起６と第二突起７の間には凹部８を夫々設けている。前記各第二突起７から外側に緩やかに広がる斜線となり、その後は平行な当該基部３の両側を形成している。この切り込み１の両端を結ぶ箇所は折り目アとなっている。
【００１９】
また、当該切り込み１によって形成される突片２において、前記各くびれ５からテーパー状に両側に拡張させて頭部４を設け、両側のくびれ５を結ぶ線を折り目イとして設けている。この頭部４の最大幅部に折り目ウを設け、これより先端部に折り込み片４aを設けている。前記突片２の頭部４の最大幅部の長さは、前記切り込み１の両側の凹部８の間の長さより小さく、突片２の第一突起６の間の長さより大きいものとした。
【００２０】
そして、この様な切り込み１を縦方向に３個、一方の切り込み１の突片２の頭部２を上方に位置する他方の突片２の基部２の中に一定長入れて連続して設け、一方の突片２の頭部４の折り目ウの位置を、前記他方の突片２の両端の折り目アの位置とした（後述する切り込み９においては、折り目エとなる）。また、この台紙において、これら３個の切り込み１の上方には別形状の切り込み９を設け、この切り込み９は、前述の切り込み１の様に山型に設けず、台紙１１の上端縁に向けて設けた平行な切り込みであり、この切り込み９に囲まれた突片１０は、先端を当該台紙１１の上端から突出させて四角形状に設け、これらの切り込み９の下端を結ぶ線に折り目エを設け、さらに、中ほどには折り目オを設けて先端に折り込み片１０ａを設けている。
【００２１】
次に、この紙製トレーＡを組み立てる。
前記各突片２を、台紙と接続した折り目アによって夫々谷折りに折り上げ、当該各突片２の両側のくびれ５を結ぶ折り目イによって前記各頭部４を山折りに折り込む。続いて、当該頭部４の折り込み片４aを当該頭部４の折り目ウにより谷折りに折り上げ、そのまま突片２の頭部４を持ち上げて当該頭部４の最大幅部の両端を前記切り込み１の両側の各凹部８内に差し入れて両側の各第一突起６に係止し、さらに、当該頭部４先端の折り込み片４aを前記切り込み１両側の各第一突起６に下方から係止する。
【００２２】
この時、頭部４の最大幅部の両端において、各第一突起６の後側に第二突起７が設けられているので、これにより前記頭部４の最大幅部の両端が前後から挟まれる形となり、凹部８から外れ難くなる。
【００２３】
そして、突片１０を折り目エによって谷折りして立ち上げ、さらに、その折り込み片１０aを折り目オによって真下に山折りする。
【００２４】
この状態で、紙製トレーＡを紙箱Ｂの底面に載置し、傾斜した各突片２の上に菓子Ｃを置いて使用する。
【００２５】
前記実施例では、突片２の頭部４の先端近くの最大幅部に折り目ウを介して折り込み片４aを設けているが、この折り込み片４a及び折り目ウは無くても良い。
【００２６】
また、基部２の形状を具体的に記載しているが、基部２の形状はこれに限るものでは無く、また、頭部４をテーパー形状に設けているが、頭部４はくびれ５を設けているものならば、テーパー形状でなくても良い。また、切り込み１についても、前記第一突起６、第二突起７及び凹部８を有するものであれば、他の形状でも良い。さらに、台紙１１に設ける切り込みのうち、最上部のものを平行な切り込み９で形成しているが、最上部の切り込みの形状はこれに限定するものでは無く、この実施例の紙製トレーＡを箱の中に載置して支障なく使用できるものであればよい。
【００２７】
また、前記実施例では、台紙１１に切り込み１を縦方向に３個並べて形成しているが、切り込み１を形成する数はこれに限らず、必要数設ければよく、例えば、２列や３列にしても良い。また、縦方向に限らず、横方向に設けても良い。また、紙箱Ｂに使用しているが、この紙製トレーAを使用するのは紙箱に限るものでは無く、プラスチック製や金属製など他の材質から成るものでも良い。
【図面の簡単な説明】
【００２８】
【図１】この考案の実施例の紙製トレーを箱内に載置し、その上から菓子を載置した状態の断面図である。
【図２】この考案の実施例の紙製トレーの台紙の平面図である。
【図３】この考案の実施例の紙製トレーの台紙の最下部の突片を折り目により折り上げた状態の平面図である。
【図４】こ考案の実施例の紙製トレーの台紙の最下部の突片の頭部を折り目により山折りに折り込む状態の一部斜視図である。
【図５】この考案の実施例の紙製トレーの台紙の一部の突片を組み立てた状態の一部斜視図である。
【符号の説明】
【００２９】
Ａ    紙製トレー        Ｂ    紙箱                Ｃ    菓子
１    切り込み          ２    突片                ３    基部
４    頭部              ４a  折り込み片           ５    くびれ
６    第一突起          ７  第二突起             ８    凹部
９    切り込み        １０  突片                １１    台紙
【図１】
0003151494.tif 000003
【図２】
0003151494.tif 000004
【図３】
0003151494.tif 000005
【図４】
0003151494.tif 000006
【図５】
0003151494.tif 000007